【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
エアバッグを格納するエアバッグモジュールを装備したシートであって、
前記シートの骨格を形成するシートフレームと、
前記シートフレームに取り付けられる前記エアバッグモジュールと、
前記エアバッグモジュールの展開方向を案内する案内部材と、を備え、
前記案内部材の一端は、前記シートのカバー部材に取り付けられ、
前記案内部材の他端は、前記シートフレームの後端部に設けられ、前記シートの内側から外側に向けて屈曲した被取付部に取り付けられ、
前記案内部材の一部が、前記被取付部の後部、内側端部及び前部に沿って設けられることを特徴とするエアバッグモジュール装備シート。
【請求項２】
前記案内部材の前記他端に取り付けられた取付部材を備え、
前記取付部材が前記被取付部に保持されることを特徴とする請求項１記載のエアバッグモジュール装備シート。
【請求項３】
前記被取付部は、前記シートの左右方向に延出する第１の壁部と第２の壁部とを有し、
前記取付部材は、前記第１の壁部と前記第２の壁部との間に保持されることを特徴とする請求項２に記載のエアバッグモジュール装備シート。
【請求項４】
前記案内部材の前記他端は、前記エアバッグモジュールと前記シートフレームとを固定するボルトよりもシート後方に配置されることを特徴とする請求項１乃至３のいずれか一項に記載のエアバッグモジュール装備シート。
【請求項５】
前記案内部材の前記他端は、前記エアバッグモジュールと前記シートフレームとを固定するボルトよりもシート内側に配置されることを特徴とする請求項１乃至４のいずれか一項に記載のエアバッグモジュール装備シート。
【請求項６】
前記案内部材の前記他端は、前記シートフレームの前方側の内側端部と、後方側の内側端部とを結ぶ線よりもシート外側に配置されることを特徴とする請求項１乃至５のいずれか一項に記載のエアバッグモジュール装備シート。
【手続補正２】
【補正対象書類名】明細書
【補正対象項目名】０００６
【補正方法】変更
【補正の内容】
【０００６】
本発明の目的は、エアバッグモジュールの展開方向を案内する案内部材をエアバッグモジュール側に取付けたエアバッグモジュール装備シートであって、エアバッグの展開力によって、エアバッグモジュール側と案内部材との連結部が変形することが抑制されたエアバッグモジュール装備シートを提供することにある。
本発明の他の目的は、エアバッグモジュールの展開方向を案内する案内部材をエアバッグモジュール側に取付けたエアバッグモジュール装備シートであって、エアバッグモジュール側と案内部材との間の取付剛性の高いエアバッグモジュール装備シートを提供することにある。
【手続補正３】
【補正対象書類名】明細書
【補正対象項目名】０００７
【補正方法】変更
【補正の内容】
【０００７】
前記課題は、本発明に係るエアバッグモジュール装備シートによれば、エアバッグを格納するエアバッグモジュールを装備したシートであって、前記シートの骨格を形成するシートフレームと、前記シートフレームに取り付けられる前記エアバッグモジュールと、前記エアバッグモジュールの展開方向を案内する案内部材と、を備え、前記案内部材の一端は、前記シートのカバー部材に取り付けられ、前記案内部材の他端は、前記シートフレームの後端部に設けられ、前記シートの内側から外側に向けて屈曲した被取付部に取り付けられ、前記案内部材の一部が、前記被取付部の後部、内側端部及び前部に沿って設けられることにより解決される。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
このとき、前記案内部材の前記他端に取り付けられた取付部材を備え、前記取付部材が前記被取付部に保持されると好適である。
このように構成しているため、案内部材によるエアバッグ展開時のエアバッグ展開方向の案内を、安定させることができる。
【手続補正６】
【補正対象書類名】明細書
【補正対象項目名】００１０
【補正方法】変更
【補正の内容】
【００１０】
このとき、前記被取付部は、前記シートの左右方向に延出する第１の壁部と第２の壁部とを有し、前記取付部材は、前記第１の壁部と前記第２の壁部との間に保持されると好適である。
【手続補正７】
【補正対象書類名】明細書
【補正対象項目名】００１１
【補正方法】変更
【補正の内容】
【００１１】
このとき、前記案内部材の前記他端は、前記エアバッグモジュールと前記シートフレームとを固定するボルトよりもシート後方に配置されると好適である。
【手続補正８】
【補正対象書類名】明細書
【補正対象項目名】００１２
【補正方法】変更
【補正の内容】
【００１２】
このとき、前記案内部材の前記他端は、前記エアバッグモジュールと前記シートフレームとを固定するボルトよりもシート内側に配置されると好適である。
【手続補正９】
【補正対象書類名】明細書
【補正対象項目名】００１３
【補正方法】変更
【補正の内容】
【００１３】
このとき、前記案内部材の前記他端は、前記シートフレームの前方側の内側端部と、後方側の内側端部とを結ぶ線よりもシート外側に配置されると好適である。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明によれば、案内部材によるエアバッグ展開時のエアバッグ展開方向の案内を、安定させることができる。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】